【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
第１のアプリケーションにより提供される印刷設定画面を介してブラウザーに情報の表示を行わせる指示を受け付ける受付手段と、
前記受付手段により前記ブラウザーに前記情報の表示を行わせる指示を受け付けた場合に、プリンタードライバーに印刷指示を行った第２のアプリケーションがオペレーティングシステムのデフォルトブラウザーであるか否か判断する判断手段と、を有し、
前記判断手段により前記第２のアプリケーションが前記デフォルトブラウザーであると判断された場合に、前記第１のアプリケーションにより前記情報が表示され、前記判断手段により前記第２のアプリケーションが前記デフォルトブラウザーではないと判断された場合に、前記デフォルトブラウザーにより前記情報が表示されることを特徴とする情報処理装置。
【請求項２】
前記第１のアプリケーションによる前記情報の表示は、前記第１のアプリケーションに関連付けられた拡張子のファイルを前記第１のアプリケーションが開き、前記ファイルに基づいて内蔵ブラウザーを用いて前記情報を表示することにより行われることを特徴とする請求項１に記載の情報処理装置。
【請求項３】
前記判断手段は、前記第２のアプリケーションが特定の種類のアプリケーションであって、かつ前記第２のアプリケーションが前記オペレーティングシステムのデフォルトブラウザーであるか否かを更に判断し、
前記判断手段により前記第２のアプリケーションが前記特定の種類のアプリケーションであって、かつ前記デフォルトブラウザーであると判断された場合に、前記第１のアプリケーションの内蔵ブラウザーにより前記情報が表示され、前記判断手段により前記第２のアプリケーションが前記特定の種類のアプリケーションではないか、又は前記デフォルトブラウザーではないと判断された場合に、前記デフォルトブラウザーにより前記情報が表示されることを特徴とする請求項１又は請求項２に記載の情報処理装置。
【請求項４】
前記情報はヘルプ情報であることを特徴とする請求項１乃至３のいずれか１項に記載の情報処理装置。
【請求項５】
前記判断手段はさらに、前記オペレーティングシステムの表示モードがウィンドウモードであるか、又はタブレットモードであるかを判断し、
前記判断手段により前記オペレーティングシステムの表示モードが前記タブレットモードであると判断された場合に、印刷設定を行うための領域である印刷設定部が前記ヘルプ情報と共に表示されることを特徴とする請求項４に記載の情報処理装置。
【請求項６】
コンピューターに、
第１のアプリケーションにより提供される印刷設定画面を介してブラウザーに情報の表示を行わせる指示を受け付ける受付工程と、
前記受付工程により前記ブラウザーに前記情報の表示を行わせる指示を受け付けた場合に、プリンタードライバーに印刷指示を行った第２のアプリケーションがオペレーティングシステムのデフォルトブラウザーであるか否か判断する判断工程と、を実行させ、
前記判断工程により前記第２のアプリケーションが前記デフォルトブラウザーであると判断された場合に、前記第１のアプリケーションにより前記情報が表示され、前記判断工程により前記第２のアプリケーションが前記デフォルトブラウザーではないと判断された場合に、前記デフォルトブラウザーにより前記情報が表示されることを特徴とするプログラム。
【請求項７】
前記第１のアプリケーションによる前記情報の表示は、前記第１のアプリケーションに関連付けられた拡張子のファイルを前記第１のアプリケーションが開き、前記ファイルに基づいて内蔵ブラウザーを用いて前記情報を表示することにより行われることを特徴とする請求項６に記載のプログラム。
【請求項８】
前記コンピューターに、
前記第１の判断工程により第２のアプリケーションがデフォルトブラウザーであると判断された場合に、前記第２のアプリケーションが特定の種類のアプリケーションであるか否かを判断する第２の判断工程を実行させ、
前記第２の判断工程により前記第２のアプリケーションが前記特定の種類のアプリケーションであると判断され、且つ、前記第１の判断工程により前記第２のアプリケーションが前記デフォルトブラウザーであると判断された場合に、前記第１のアプリケーションの内蔵ブラウザーにより前記情報が表示され、前記第１の判断工程により前記第２のアプリケーションがデフォルトブラウザーであると判断された場合であっても、前記第２の判断工程により前記第２のアプリケーションが前記特定の種類のアプリケーションではないと判断された場合は、前記デフォルトブラウザーにより前記情報が表示されることを特徴とする請求項６又は請求項７に記載のプログラム。
【請求項９】
前記情報はヘルプ情報であることを特徴とする請求項６乃至８のいずれか１項に記載のプログラム。
【請求項１０】
前記コンピューターに
前記オペレーティングシステムの表示モードがウィンドウモードであるか、又はタブレットモードであるかを判断する第３の判断工程を更に実行させ、
前記第３の判断工程により前記オペレーティングシステムの表示モードが前記タブレットモードであると判断された場合は、印刷設定を行うための領域である印刷設定部が前記ヘルプ情報と共に表示されることを特徴とする請求項９に記載のプログラム。
【請求項１１】
第１のアプリケーションにより提供される印刷設定画面を介してブラウザーに情報の表示を行わせる指示を受け付ける受付工程と、
前記受付工程により前記ブラウザーによる前記情報の表示を行わせる指示を受け付けた場合に、プリンタードライバーに印刷指示を行った第２のアプリケーションがオペレーティングシステムのデフォルトブラウザーであるか否か判断する判断工程と、を有し、
前記判断工程により前記第２のアプリケーションが前記デフォルトブラウザーであると判断された場合に、前記第１のアプリケーションにより前記情報が表示され、前記判断工程により前記第２のアプリケーションが前記デフォルトブラウザーではないと判断された場合に、前記デフォルトブラウザーにより前記情報が表示されることを特徴とする制御方法。
【請求項１２】
第１のアプリケーションによって提供される印刷設定画面を介してブラウザーに情報の表示を行わせる指示を受け付ける受付手段と、
前記指示を受け付けたことに従って、ブラウザーを起動するか否かの指示を受け付ける確認画面であって、前記情報を表示するブラウザーの種類を選択するかどうかを設定する表示アイテムを含む確認画面を表示する表示手段と、
前記表示アイテムを介して前記情報を表示するブラウザーの種類を選択する設定がなされていない状態で、前記確認画面を介して前記ブラウザーを起動する指示を受け付けたことに従って、オペレーティングシステムのデフォルトブラウザーにより前記情報が表示されるよう制御し、
前記表示アイテムを介して前記情報を表示するブラウザーの種類を選択する設定がなされた状態で、前記確認画面を介して前記ブラウザーを起動する指示を受け付けたことに従って、前記情報を表示するためのブラウザーを選択する画面が表示されるように制御する制御手段と、
を有することを特徴とする情報処理装置。
【請求項１３】
前記ブラウザーを選択する画面は、前記情報処理装置にインストールされているブラウザーのなかから、前記情報の表示に用いるブラウザーの種類をユーザに選択させるための画面であることを特徴とする請求項１２に記載の情報処理装置。
【請求項１４】
前記制御手段は、前記ブラウザーを選択する画面から、前記情報の表示に用いるブラウザーの種類を決定するユーザ操作を受け付けた後に、前記ユーザ操作に基づき決定した種類のブラウザーを起動するよう制御することを特徴とする請求項１３に記載の情報処理装置。
【請求項１５】
前記情報はヘルプ情報であることを特徴とする請求項１２乃至１４のいずれか１項に記載の情報処理装置。
【請求項１６】
前記制御手段は、前記デフォルトブラウザーを使用して所定のＵＲＬを開くよう前記オペレーティングシステムに指示を行うことで、前記デフォルトブラウザーによる前記情報の表示を実現することを特徴とする請求項１２乃至１５のいずれか１項に記載の情報処理装置。
【請求項１７】
前記制御手段は、前記確認画面を介してキャンセル指示を受け付けたことに従って、前記情報の表示をキャンセルするよう制御することを特徴とする請求項１２乃至１６のいずれか１項に記載の情報処理装置。
【請求項１８】
コンピューターに、
第１のアプリケーションによって提供される印刷設定画面を介してブラウザーに情報の表示を行わせる指示を受け付ける受付工程と、
前記指示を受け付けたことに従って、ブラウザーを起動するか否かの指示を受け付ける確認画面であって、前記情報を表示するブラウザーの種類を選択するかどうかを設定する表示アイテムを含む確認画面を表示する表示制御工程と、
前記表示アイテムを介して前記情報を表示するブラウザーの種類を選択する設定がなされていない状態で、前記確認画面を介して前記ブラウザーを起動する指示を受け付けたことに従って、オペレーティングシステムのデフォルトブラウザーにより前記情報が表示されるよう制御し、
前記表示アイテムを介して前記情報を表示するブラウザーの種類を選択する設定がなされた状態で、前記確認画面を介して前記ブラウザーを起動する指示を受け付けたことに従って、前記情報を表示するためのブラウザーを選択する画面が表示されるように制御する制御工程と、
を実行させるためのプログラム。
【請求項１９】
前記ブラウザーを選択する画面は、前記コンピューターにインストールされているブラウザーのなかから、前記情報の表示に用いるブラウザーの種類をユーザに選択させるための画面であることを特徴とする請求項１８に記載のプログラム。
【請求項２０】
前記制御工程では、前記ブラウザーを選択する画面から、前記情報の表示に用いるブラウザーの種類を決定するユーザ操作を受け付けると、前記ユーザ操作に基づき決定した種類のブラウザーを起動するよう制御することを特徴とする請求項１９に記載のプログラム。
【請求項２１】
前記情報はヘルプ情報であることを特徴とする請求項１８乃至２０のいずれか１項に記載のプログラム。
【請求項２２】
前記制御工程では、前記デフォルトブラウザーを使用して所定のＵＲＬを開くよう前記オペレーティングシステムに指示を行うことで、前記デフォルトブラウザーによる前記情報の表示を実現することを特徴とする請求項１８乃至２１のいずれか１項に記載のプログラム。
【請求項２３】
前記制御工程では、前記確認画面を介してキャンセル指示を受け付けると、前記情報の表示をキャンセルするよう制御することを特徴とする請求項１８乃至２２のいずれか１項に記載のプログラム。
【請求項２４】
第１のアプリケーションによって提供される印刷設定画面を介してブラウザーに情報の表示を行わせる指示を受け付ける受付工程と、
前記指示を受け付けたことに従って、ブラウザーを起動するか否かの指示を受け付ける確認画面であって、前記情報を表示するブラウザーの種類を選択するかどうかを設定する表示アイテムを含む確認画面を表示する表示制御工程と、
前記表示アイテムを介して前記情報を表示するブラウザーの種類を選択する設定がなされていない状態で、前記確認画面を介して前記ブラウザーを起動する指示を受け付けたことに従って、オペレーティングシステムのデフォルトブラウザーにより前記情報が表示されるよう制御し、
前記表示アイテムを介して前記情報を表示するブラウザーの種類を選択する設定がなされた状態で、前記確認画面を介して前記ブラウザーを起動する指示を受け付けたことに従って、前記情報を表示するためのブラウザーを選択する画面が表示されるように制御する制御工程と、
を有することを特徴とする制御方法。
【手続補正２】
【補正対象書類名】明細書
【補正対象項目名】０００７
【補正方法】変更
【補正の内容】
【０００７】
上記の目的を達成するための本発明に係る情報処理装置は、
第１のアプリケーションにより提供される印刷設定画面を介してブラウザーに情報の表示を行わせる指示を受け付ける受付手段と、
前記受付手段により前記ブラウザーに前記情報の表示を行わせる指示を受け付けた場合に、プリンタードライバーに印刷指示を行った第２のアプリケーションがオペレーティングシステムのデフォルトブラウザーであるか否か判断する判断手段と、を有し、
前記判断手段により前記第２のアプリケーションが前記デフォルトブラウザーであると判断された場合に、前記第１のアプリケーションにより前記情報が表示され、前記判断手段により前記第２のアプリケーションが前記デフォルトブラウザーではないと判断された場合に、前記デフォルトブラウザーにより前記情報が表示されることを特徴とする。